(57)【要約】【課題】  フルカラーのスキャナにおいてモノクロ画像を読み取る際に黒スジの除去を精度よく、効率的に行うことができるようにする。【解決手段】  原稿を読み取る前にプラテンガラスに対してプレスキャンを行い、ゴミがあれば、ゴミのある主走査方向の黒スジエリアを検出する。検出されたエリア信号３０１はＦＩＦＯに書き込まれる。この状態で原稿の読み取りが開始される。原稿の読み取りを開始してモノクロＣＣＤセンサによる第１の画像データと、カラーＣＣＤセンサによる第２の画像データとの２組の画像データが得る。第２の画像データはＲＡＭに一旦格納し、黒スジの補正を行う場合には、ＦＩＦＯに保存されたスジエリア信号３０１を読み出し、エリアに対応する第１画像の信号３０２を第２画像の濃度データ３０３に置き換え、第１の画像データの出力データ３０４とする。これにより、第１の画像データの出力データはゴミが存在したときのデータに置き換えられ、黒スジは除去される。【選択図】        図５
2005094685.tif 000002
【特許請求の範囲】
【請求項１】
ＲＧＢ各色に対応する読み取り素子を備え、原稿をシートスルーで読み取る画像読み取り装置において、
前記ＲＧＢ各色に対応する読み取り素子で読み取り画像位置とは異なる位置で画像を読み取るモノクロ用の読み取り素子を備えていることを特徴とする画像読み取り装置。
【請求項２】
前記モノクロ用の読み取り素子に読み取り光を導く光学系が、前記ＲＧＢ各色に対応する読み取り素子に読み取り光を導く光学系と同一であることを特徴とする画像読み取り装置。
【請求項３】
前記ＲＧＢ各色に対応する読み取り素子とモノクロ用の読み取り素子とが、色毎に１ラインずつ設けられた４ラインのＣＣＤセンサからなることを特徴とする請求項１または２記載の画像読み取り装置。
【請求項４】
モノクロ用の読み取り素子で読み取った第１の画像データ及びＲＧＢ各色に対応する読み取り素子で読み取った第２の画像データが入力される入力手段と、
前記第１の画像データに対して前記第２の画像データを補正データとして使用して所定の画像処理を行う画像処理手段と、
を備えていることを特徴とする画像処理装置。
【請求項５】
前記所定の画像処理が黒スジ除去処理であり、前記画像処理手段は、前記黒スジに対応する部分の第１の画像データを前記第２の画像データによって補正することを特徴とする請求項４記載の画像処理装置。
【請求項６】
前記第２の画像データを記憶する記憶手段を備え、
前記画像処理手段は、原稿読み取り前にプラテンガラスをプレスキャンしてゴミの有無を判定し、
ゴミがあった場合には、ゴミの位置を記憶し、第１の画像データの出力時に前記ゴミの位置に相当する位置の画像データを第２の画像データの濃度データに置換することを特徴とする請求項５記載の画像処理装置。
【請求項７】
前記ゴミの位置はスジエリア信号としてＦＩＦＯに格納され、
前記第１画像データの出力時に前記スジエリア信号をＦＩＦＯから読み出し、
読み出されたスジエリア信号に対応する位置のピクセルの画像濃度を第２の画像データから読み出して置換する
ことを特徴とする請求項６記載の画像処理装置。
【請求項８】
請求項１ないし３のいずれか１項に記載の画像読み取り装置を備えていることを特徴とする画像形成装置。
【請求項９】
請求項４ないし７のいずれか１項に記載の画像処理装置を備えていることを特徴とする画像形成装置。
【請求項１０】
シートスルーで読み取った原稿に発生した黒スジを補正する画像処理方法において、
原稿を読み取る前にプラテンガラスを読み取り、モノクロ用の読み取り素子で読み取る光路にゴミがあったときにゴミの位置を記憶する工程と、
原稿を搬送してモノクロ用の読み取り素子とＲＧＢ各色に対応する読み取り素子とによってそれぞれ異なる位置で原稿上の画像を読み取る工程と、
前記ＲＧＢ各色に対応する読み取り素子によって読み取った画像データを記憶手段に記憶する工程と、
ゴミがあったときに前記モノクロ用の読み取り素子によって読み取った画像データを、前記ＲＧＢ各色に対応する読み取り素子によって読み取った画像データから作成されるモノクロの濃度データで補正する工程と、
を備えていることを特徴とする画像処理方法。
【発明の詳細な説明】
【技術分野】
【０００１】
本発明は原稿画像を光学的に読み取る画像読み取り装置、この画像読み取り装置によって読み取った画像を処理する画像処理装置、前記画像読み取り装置または前記画像処理装置を使用した画像形成装置、及び画像処理方法に関する。
【背景技術】
【０００２】
シートスルースキャン方式の画像入力装置において、ゴミなどにより画像読み取り装置のプラテンガラスに汚れがあると、原稿を読み取る間、これらのゴミを常に読み取るため、これらの原稿が端から端までスジ状になって、黒スジの原因となる。そこで、画像品質を向上させるために、この黒スジを除去し、あるいは補正して黒スジが発生しないような処理がとられている。
【０００３】
このような方法の１つとして、例えば特許文献１に開示された発明が知られている。この発明は、画像読み取り手段が読み取って得られた画像データを記憶する手段と、記憶手段に記憶された画像データに基づいて、副走査方向に連続する黒スジの有無を検出する黒スジ検出手段と、黒スジ検出手段が黒スジを検出した場合、読み取った原稿とプラテンガラスとの相対位置を副走査方向と直交する主走査方向に変化させた状態で原稿を画像読み取り装置により再読み取りさせるように構成したものである。すなわち、最初に読み取った第１画像データに黒スジがある場合、ＣＰＵはプラテンガラスを初期位置から再読み取り位置まで主走査方向に所定量移動させ、原稿を同じ面を向けたプラテンガラスまで再搬送して再読み取りを行って第２画像データを得るようにし、黒スジ部分のデータについては第２画像データに置き換えるようにしている。
【０００４】
また、特許文献２には、第１及び第２の読み取り手段によって原稿の同一個所から読み取った画像の読み取り濃度値の差が所定の閾値を越えた場合に、第１の読み取り手段による読み取り画像にスジ状のノイズが含まれている旨の判定をするノイズ検知手段と、ノイズ検知手段により第１の読み取り手段による読み取り画像にスジ状のノイズが含まれていないと判定されたときには、第１の読み取り手段による読み取り画像を用いて出力画像を生成し、ノイズが含まれていると判定されたときには、第２の読み取り手段による読み取り画像を用いてそれぞれ出力画像を生成するように構成された発明が開示されている。
【特許文献１】特開２０００−５００２３号公報
【特許文献２】特開２０００−２９５４１６号公報
【発明の開示】
【発明が解決しようとする課題】
【０００５】
ところで、特許文献１に開示された発明では、黒スジを検出したときに副走査方向にプラテンガラスを移動させることから、この移動のための機構が必要となり、コストが高くなる。また、黒スジを検出したときに、再度読み取る必要があるので、その分の作業効率の低下を招く。
【０００６】
また、特許文献２に開示された発明では、同一特性の単色の読み取り手段が必要となり、常に２つの読み取り手段の読み取りデータを比較して処理を行うことから、処理段数が増加し、処理効率が低下する。さらに、いずれの発明においても、フルカラーの読み取りには対応しておらず、昨今のカラー画像読み取り装置（スキャナ）やカラー複写機に適用することはできない。
【０００７】
本発明は、このような従来技術の実情に鑑みてなされたもので、その目的は、フルカラーのスキャナにおいてモノクロ画像を読み取る際に黒スジの除去を精度よく、効率的に行うことができる画像読み取り装置、この画像読み取り装置を備えた画像形成装置及び黒スジ補正を行う画像処理方法を提供することにある。
【課題を解決するための手段】
【０００８】
前記目的を達成するため、第１の手段は、ＲＧＢ各色に対応する読み取り素子を備え、原稿をシートスルーで読み取る画像読み取り装置において、前記ＲＧＢ各色に対応する読み取り素子で読み取り画像位置とは異なる位置で画像を読み取るモノクロ用の読み取り素子を備えていることを特徴とする。
【０００９】
第２の手段は、第１の手段において、前記モノクロ用の読み取り素子に読み取り光を導く光学系が、前記ＲＧＢ各色に対応する読み取り素子に読み取り光を導く光学系と同一であることを特徴とする。
【００１０】
第３の手段は、第１または第２の手段において、前記ＲＧＢ各色に対応する読み取り素子とモノクロ用の読み取り素子とが、色毎に１ラインずつ設けられた４ラインのＣＣＤセンサからなることを特徴とする。
【００１１】
第４の手段は、モノクロ用の読み取り素子で読み取った第１の画像データ及びＲＧＢ各色に対応する読み取り素子で読み取った第２の画像データが入力される入力手段と、前記第１の画像データに対して前記第２の画像データを補正データとして使用して所定の画像処理を行う画像処理手段とを含んで画像処理装置が構成されていることを特徴とする。
【００１２】
第５の手段は、第４の手段において、前記所定の画像処理が黒スジ除去処理であり、前記画像処理手段は、前記黒スジに対応する部分の第１の画像データを前記第２の画像データによって補正することを特徴とする。
【００１３】
第６の手段は、第５の手段において、前記第２の画像データを記憶する記憶手段を備え、前記画像処理手段は、原稿読み取り前にプラテンガラスをプレスキャンしてゴミの有無を判定し、ゴミがあった場合には、ゴミの位置を記憶し、第１の画像データの出力時に前記ゴミの位置に相当する位置の画像データを第２の画像データのモノクロの濃度データに置換することを特徴とする。
【００１４】
第７の手段は、第６の手段において、前記ゴミの位置はスジエリア信号としてＦＩＦＯに格納され、前記第１画像データの出力時に前記スジエリア信号をＦＩＦＯから読み出し、読み出されたスジエリア信号に対応する位置のピクセルの画像濃度を第２の画像データから読み出して置換することを特徴とする。
【００１５】
第８の手段は、画像形成装置が第１ないし第３の手段に係る画像読み取り装置を備えていることを特徴とする。
【００１６】
第９の手段は、画像形成装置が第４ないし第７の手段に係る画像処理装置を備えていることを特徴とする。
【００１７】
第１０の手段は、シートスルーで読み取った原稿に発生した黒スジを補正する画像処理方法において、原稿を読み取る前にプラテンガラスを読み取り、モノクロ用の読み取り素子で読み取る光路にゴミがあったときにゴミの位置を記憶する工程と、原稿を搬送してモノクロ用の読み取り素子とＲＧＢ各色に対応する読み取り素子とによってそれぞれ異なる位置で原稿上の画像を読み取る工程と、前記ＲＧＢ各色に対応する読み取り素子によって読み取った画像データを記憶手段に記憶する工程と、ゴミがあったときに前記モノクロ用の読み取り素子によって読み取った画像データを、前記ＲＧＢ各色に対応する読み取り素子によって読み取った画像データから作成されるモノクロの濃度データで補正する工程とを備えていることを特徴とする。
【発明の効果】
【００１８】
本発明によれば、フルカラーのシートスルー方式のスキャナにおいてモノクロ画像を読み取る際に高画質の画像データを出力することができる。また、読み取り光路中にゴミが存在した場合に、モノクロ画像データとカラー画像データとから黒スジの除去を精度よく、効率的に行うことができ、高画質の画像出力が可能になる。
【発明を実施するための最良の形態】
【００１９】
以下、図面を参照し、本発明の実施例について説明する。
【００２０】
図１は本発明の実施例に係る画像形成装置の概略構成を示す図である。図１に示す画像形成装置は、概略的に自動原稿送り装置（以後ＡＤＦ）１と画像形成装置本体により構成されている。ＡＤＦ１における原稿台２に原稿の画像面を上にして置かれたシート原稿束は、原稿セット検知センサ９によって検知され、図示しない操作部上のスタート（ＰＲＩＮＴ）キーが押下されると、一番上の原稿から給送され、レジストセンサ５まで原稿先端が到達すると停止する。レジストセンサ５の位置まで到達した原稿は、さらに再スタートして画像形成装置本体側のＡＤＦ原稿読み取り位置１０において読み取りを行う。片面読み取りの場合はそのまま原稿排紙トレイ７に排出され、両面読み取りの場合は原稿分岐爪６により原稿排紙トレイ７の上で反転し再給紙することで裏面の読み取りを行う。また、ブック原稿などは、コンタクトガラス８上に載置して読み取りユニット５０により読み取る。
【００２１】
画像形成装置本体側の第１トレイ１１、第２トレイ１２、第３トレイ１３にそれぞれ積載された転写紙は、第１給紙装置１４、第２給紙装置１５、第３給紙装置１６によって給紙され、次いで共通の縦搬送ユニット１７によって感光体１８に当接する位置まで搬送される。読み取りユニット５０によって読み取られた画像データは、書き込みユニット５７からのレーザビームによって感光体１８に書き込まれ、現像ユニット２７を通過することによってトナー像が形成される。そして、転写紙は感光体１８の回転と等速で搬送ベルト１９によって搬送されながら、感光体１８上のトナー像が転写される。その後、転写紙上の画像は定着ユニット２０で定着され、画像が定着された転写紙は、排紙トレイ２１に排出される。
【００２２】
転写紙の両面に画像を作像する場合は、定着ユニット２０から排紙トレイ２１側に導かないで、経路切り替えのための分岐爪１１１によって、一旦両面搬送パス１１２に搬送する。その後、両面搬送パス１１２の転写紙は再び感光体１８に作像されたトナー画像を転写するために再給紙され、トナー像が転写されると、定着ユニット２０を経由して排紙トレイ２１に導かれる。このように転写紙の両面に画像を作成する場合に両面搬送パス１１２は使用される。
【００２３】
次に図１を用いて、本発明における画像読み取り手段、および画像を記録面上に潜像形成するまでの動作を説明する。潜像とは感光体面上に画像を光情報に変換して照射することにより生じる電位分布である。読み取りユニット５０は、原稿を載置するコンタクトガラス８と光学走査系で構成されており、光学走査系には、露光ランプ５１、第１ミラー５２、第２ミラー５５、第３ミラー５６、レンズ５３、ＣＣＤイメージセンサ５４等々で構成されている。露光ランプ５１及び第１ミラー５２は図示しない第１キャリッジ上に固定され、第２ミラー５５及び第３ミラー５６は図示しない第２キャリッジ上に固定されている。
【００２４】
コンタクトガラス８上の原稿像を読み取るときには、光路長が変わらないように、第１キャリッジと第２キャリッジとは２対１の相対速度で機械的に走査される。この光学走査系は、図示しないスキャナ駆動モータにて駆動される。他方、ＡＤＦ１により原稿を給紙しながら原稿像を読み取るときには、露光ランプ５１及び第１ミラー５２を搭載した第１キャリッジと第２ミラー５５及び第３ミラー５６を搭載した第２キャリッジは図１に示す位置に固定される。原稿画像は、ＣＣＤイメージセンサ５４によって読み取られ、電気信号に変換されて処理される。
【００２５】
書き込みユニット５７はレーザ出力ユニット５８、結像レンズ５９及びミラー６０で構成され、レーザ出力ユニット５８の内部には、レーザ光源であるレーザダイオード及びモータによって高速で定速回転する回転多面鏡（ポリゴンミラー）が備わっている。レーザ出力ユニット５８より照射されるレーザ光は、定速回転するポリゴンミラーで偏向され、結像レンズ５９を通り、ミラー６０で折り返され、感光体１８の表面に集光結像する。偏向されたレーザ光は感光体１８が回転する方向と直交する方向（主走査方向）に露光走査され、画像処理部の出力データセレクタより出力された画像信号のライン単位の記録を行う。感光体１８の回転速度と記録密度に対応した所定の周期で主走査を繰り返すことによって、感光体面上に画像（静電潜像）が形成される。
【００２６】
上述のように、書き込みユニット５７から出力されるレーザ光が、画像作像系の感光体１８に照射される。図示しないが感光体１８の一端近傍のレーザビームを照射される位置に、主走査同期信号を発生するビームセンサが配置されている。この主走査同期信号をもとに主走査方向の画像記録開始タイミングの制御、および画像信号の入出力を行うための制御信号の生成を行う。
【００２７】
図２は本実施形態における画像処理部（画像読みとり部と画像書き込み部）の構成を示すブロック図である。以下、図２を参照して画像処理について説明する。露光ランプ５１から照射された光は原稿面を照射し、原稿面からの反射光は結像レンズ５３、ＣＣＤイメージセンサ５４によりそれぞれ結像、受光して光電変換され、Ａ／Ｄコンバータ６１によってデジタル信号に変換される。デジタル信号に変換された画像信号は、シェーディング補正部６２でシェーディング補正された後、行間処理部６２ａでライン間の調整が行われ、黒スジ処理部６２ｂで後述の黒スジを除去する処理を行い、ＭＴＦ補正部６３でＭＴＦ補正、γ補正等がなされる。
【００２８】
ＭＴＦ補正部６３を経由した画像データはスキャナメモリ６４に一時記憶される。これは、その後の変倍部７１及びメモリコントローラ６５への転送タイミングを調整するためのものである。変倍部７１では変倍率に応じ、読み取った画像データに対して画像の間引きや画像を付加して変倍が行われる。変倍された画像データはメモリコントローラ６５に転送され、画像メモリ６６に蓄積される。逆に画像メモリ６６に蓄積された画像データはメモリコントローラ６５を介して書き込みユニット５７に転送される。なお、これらの各部は画像読み取りユニット５０の制御を司る図示しないＣＰＵが制御する。なお、ＣＰＵは図示しないＲＯＭに格納されたプログラムを図示しないＲＡＭをワークエリアとして使用しながら実行することにより、各種制御を実行する。
【００２９】
図３は本発明の実施例に係るシートスルー方式の読み取りユニット５０の読み取り部の概略構成図である。この実施例では、ＣＣＤイメージセンサ５４はＲＧＢの３色それぞれに対するカラー用の３ラインＣＣＤイメージセンサ（以下、カラーＣＣＤセンサとも称す）５４Ｒ，５４Ｇ，５４Ｂと、黒用の１ラインＣＣＤイメージセンサ（以下、モノクロＣＣＤセンサとも称す）５４Ｋの４ラインＣＣＤイメージセンサから構成されている。そして、原稿の読み取り位置に設けられたプラテンガラス６上を原稿が通過する間に、図３に示すように読み取り装置本体内部（図では下方）から照明された照明光の原稿からの反射光を読み取る。この読み取り位置は原稿搬送側の上流側に当たるＡ位置と下流側に当たるＢ位置に設定され、Ａ位置における原稿からの反射光はモノクロＣＣＤセンサ５４Ｋに入射され、Ｂ位置における原稿からの反射光はカラーＣＣＤセンサ５４Ｒ，５４Ｇ，５４Ｂに入射される。そして、カラースキャナとして使用する場合には、カラーＣＣＤセンサ５４Ｒ，５４Ｇ，５４Ｂの出力だけでフルカラーの読み取りを行い、モノクロ原稿を読み取るモノクロスキャナとして使用する場合には、モノクロＣＣＤセンサ５４Ｋの出力に加えてカラーＣＣＤセンサ５４Ｒ，５４Ｇ，５４Ｂの出力も使用する。
【００３０】
すなわち、カラーコピーのためにカラー原稿を読み取る時には、Ｒ、Ｇ、Ｂの３ラインカラーＣＣＤセンサ５４Ｒ，５４Ｇ，５４Ｂを使って原稿を読み取り、その読み取りデータに基づいてカラー画像を記録紙上に形成する。モノクコピーの時にはカラーＣＣＤセンサ５４Ｒ，５４Ｇ，５４ＢとモノクロＣＣＤセンサ５４ＫのＣＣＤを使用するが、モノクロＣＣＤセンサ５４Ｋで読み取った画像データをメインに使用し、カラーＣＣＤセンサ５４Ｒ，５４Ｇ，５４Ｂで読み取った画像は画像処理の候補画像データとして使用する。
【００３１】
図４はモノクロ画像を読み取ったときに黒スジがある場合の処理を示す説明図で、図５はそのときの読み取りと補正のタイミングを示すタイミングチャート、図６は補正を行ったときの出力状態を示す説明図である。
【００３２】
このようなシートスルー方式の画像読み取り装置では、プラテンガラス９上に図３に示すようにゴミ９ａが付着し、そのゴミ９ａが読み取り光路上（Ａ位置）に位置していると、原稿画像とともにこのゴミ９ａも読み取ることになる。ゴミ９ａは移動しないが、原稿は副走査方向に移動するので、ゴミ９ａがＡ位置にあると図４に示すようにモノクロＣＣＤセンサ５４Ｋで読み取った画像データ２００には副走査方向に黒スジ２０１が入ることになる。一方、カラーＣＣＤセンサ５４Ｒ，５４Ｇ，５４Ｂで読み取る読み取り位置（Ｂ位置）には、ゴミ９ａは付着していないので、黒スジは生じない。このような読み取りデータが前提となる。
【００３３】
そこで、この実施例では、原稿を読み取る前にプラテンガラス９に対してプレスキャンを行う。このプレスキャンによりゴミ９ａがあれば、ゴミ９ａのある黒スジエリア（主走査方向の位置）を検出する。検出されたエリア信号（位置信号）３０１はＩＰＵ４９に設けられた図示しないＦＩＦＯに書き込まれる。この状態で原稿の読み取りが開始される。
【００３４】
原稿の読み取りが開始されると、モノクロＣＣＤセンサ５４Ｋによって読み取られた画像データ（以下、第１の画像データと称す）と、カラーＣＣＤセンサ５４Ｒ，５４Ｇ，５４Ｂで読み取られた画像データ（以下、第２の画像データと称す）との２組の画像データが得られる。このうち第２の画像データは画像メモリ６６中のＲＡＭ２０４に一旦格納される。この第２の画像データには、図３に示すように読み取り位置がゴミ９ａの存在位置から外れ、図４符号２０３で示すＬだけずれた位置で読み取っているので、黒スジはない。また、モノクロＣＣＤセンサ５４Ｋで読み取った画質の方が、カラーＣＣＤセンサ５４Ｒ，５４Ｇ，５４Ｂで読み取ったモノクロ画像の画質の方が高いので、モノクロ画像読み取りの場合には、第１画像データを基本的な読み取りデータとして使用し、この第１画像データに対して第２画像データを補正データとして使用する。
【００３５】
そこで、黒スジの補正を行う場合には、ＦＩＦＯに保存されたスジエリア信号３０１を読み出し、エリアに対応する第１画像の信号（黒−３０２）を第２画像の濃度データ３０３に置き換え、第１の画像データの黒スジ部（黒スジとなったピクセル）の出力データ３０４とする。例えば図４に示すＲＡＭ２０４の黒スジのアドレス２０５に対応するモノクロ画像の画像データ「ｆｆ」を、第２画像の濃度データ「ａ２」に置き換えることになる。このようにして黒スジの位置に対応する原稿の濃度データを、カラーＣＣＤセンサ５４Ｒ，５４Ｇ，５４Ｂの読み取りデータから濃度データに変換したもので置き換える。このカラーの読み取り情報の濃度データは、、モノクロ画像の濃度データに対応する。このように補正すると、図６に示すように出力画像２０６では、読み取り時の画像データで存在した黒スジの部分に対応する副走査方向の位置２０７は、本来あるべきモノクロの画像データに置き換わっているので、全く黒スジは表れず、高画質の出力画像を得ることができる。
【００３６】
これらの処理は、図２に示した黒スジ処理部６２ｂで行われるが、第１画像データは第２画像データによって黒スジのデータが置き換えられるまで遅延され、合成（補正された）時点で後段のＭＦＴγ補正部６３にライン毎に出力される。なお、ＭＦＴγ補正部６３ではＭＴＦ補正とγ補正に基づいた画像処理が行われる。
【００３７】
カラーＣＣＤセンサ５４Ｒ，５４Ｇ，５４Ｂで読み取った画像データは、黒スジが発生した位置の原稿データを遅れたタイミングで読み取ったもので、まさにゴミ９ａによって隠されたピクセルの画像情報そのものであり、黒スジを前記画像情報（画像濃度）で置き換えて補正することにより、ゴミ９ａがない状態の原稿を読み取ったものと全く同一である。したがって、一般に行われている主走査の周辺画素を利用して黒スジの部分に対して補正を掛け、黒スジをなくすようにしている処理では、そのピクセル自体の画像データではないので、画質が低下する可能性がある。しかし、この実施例のように処理すると、本来読み取るべきピクセルの画像データを直接使用するので、画質を維持することができる。
【００３８】
この実施例では、カラースキャナにモノクロＣＣＤセンサ５４Ｋを追加して原稿を読み取るようにしたので、前述の従来例のようにプラテンガラスを移動させる機能や、常に２つの読み取り手段の読み取りデータを比較して処理を行うことから、処理段数が増加し、処理効率が低下したりすることもない。また、モノクロ画像を読み取る場合に、カラーＣＣＤセンサ５４Ｒ，５４Ｇ，５４ＢよりもモノクロＣＣＤセンサのほうが合成処理が不要な分、また、光を分光する際の光学上のノイズなどもないことから、精度がよく、画質も高いので、カラースキャナのモノクロ画像の読み取り画質の向上も図ることができる。なお、プレスキャンは、通常、１つのジョブ、ここでは１つの原稿の読み取り時に１回行われる。
【００３９】
また、この実施例では、黒の読み取り位置Ａがカラーの読み取り位置Ｂよりも原稿搬送方向上流側に位置しているが、逆の場合でも同様である。
【図面の簡単な説明】
【００４０】
【図１】本発明の実施例に係る複合機能を有する画像形成装置の内部構成の概略を示す概略構成図である。
【図２】本実施例に係る画像形成装置の画像処理部の詳細を示すブロック図である。
【図３】本発明の実施例に係るシートスルー方式の読み取りユニットの読み取り部の概略構成図である。
【図４】モノクロ画像を読み取ったときに黒スジがある場合の処理を示す説明図である。
【図５】図４における処理時の読み取りと補正のタイミングを示すタイミングチャートである。
【図６】補正を行ったときの出力状態を示す説明図である。
【符号の説明】
【００４１】
９  プラテンガラス
９ａ  ゴミ
５２  第１ミラー
５３  レンズ
５４  ＣＣＤイメージセンサ
５４Ｒ，５４Ｇ，５４Ｂ  カラーＣＣＤセンサ
５４Ｋ  モノクロＣＣＤセンサ
５５  第２ミラー
５６  第３ミラー
６２ｂ  黒スジ補正部
【図１】
2005094685.tif 000003
【図２】
2005094685.tif 000004
【図３】
2005094685.tif 000005
【図４】
2005094685.tif 000006
【図５】
2005094685.tif 000007
【図６】
2005094685.tif 000008